【手続補正書】
【提出日】平成19年5月31日(2007.5.31)
【手続補正１】
【補正対象書類名】特許請求の範囲
【補正対象項目名】全文
【補正方法】変更
【補正の内容】
【特許請求の範囲】
【請求項１】
ホスト装置とプリンタとから構成され、前記ホスト装置にエラー回復のためのページメモリを有する印刷システムであって、
前記ホスト装置は、印刷ジョブを開始する際に、プリンタを占有状態に移行するように指示し、当該印刷ジョブの印刷データを転送し終えると、前記プリンタからの印刷完了通知を待つことなく、占有解除状態に移行するように指示する指示手段を有し、
前記プリンタは、前記ホスト装置からの指示に従ってプリンタを占有状態又は占有解除状態に移行させる手段を有し、前記移行させる手段は、第１のジョブの占有状態の解除後、第２のジョブが占有している際に、第１のジョブがエラーを起こした場合、第２のジョブの占有状態を解除し、第１のジョブに占有させることを特徴とする印刷システム。
【請求項２】
前記ホスト装置は、前記占有解除状態に移行するように指示した後に、前記プリンタのステータスを監視し、ページの印刷が正常終了した場合には前記ページメモリを解放することを特徴とする請求項１記載の印刷システム。
【請求項３】
前記ホスト装置は、前記占有解除状態に移行するように指示した後に、前記プリンタのステータスを監視し、エラーを検出した場合には前記占有状態に移行するように指示し、前記エラーが発生したページの印刷データを再送信することを特徴とする請求項１記載の印刷システム。
【請求項４】
前記ホスト装置は、前記占有状態に移行するように指示した後に、前記プリンタのステータスを監視し、他の印刷ジョブに関するエラーを検出した場合には前記占有解除状態に移行するように指示することを特徴とする請求項１記載の印刷システム。
【請求項５】
前記プリンタは、正常に印刷できなかったページがある場合、該ページの印刷を指示したホスト装置とは異なるホスト装置からの占有状態へ移行する指示を拒否することを特徴とする請求項１記載の印刷システム。
【請求項６】
前記プリンタは、占有中でない他の印刷ジョブに関するエラーを検出した場合には前記占有解除状態に移行することを特徴とする請求項１記載の印刷システム。
【請求項７】
ホスト装置とプリンタとから構成され、前記ホスト装置にエラー回復のためのページメモリを有する印刷システムの制御方法であって、
前記ホスト装置が、印刷ジョブを開始する際に、プリンタを占有状態に移行するように指示し、当該印刷ジョブの印刷データを転送し終えると、前記プリンタからの印刷完了通知を待つことなく、占有解除状態に移行するように指示する工程と、
前記プリンタが、前記ホスト装置からの指示に従ってプリンタを占有状態又は占有解除状態に移行させる工程とを有し、
前記移行させる工程において、第１のジョブの占有状態の解除後、第２のジョブが占有している際に、第１のジョブがエラーを起こした場合、第２のジョブの占有状態を解除し、第１のジョブに占有させることを特徴とする印刷システムの制御方法。
【請求項８】
占有要求をプリンタに送信し、印刷ジョブのデータをプリンタに送信する工程と、
前記印刷ジョブのデータを送信し終えた場合、占有解除要求をプリンタに送信する工程と、
前記占有解除要求をプリンタに送信後、ステータスを監視し、エラーの場合、印刷ジョブを未送信の状態に戻し、占有要求をプリンタに送信し、前記印刷ジョブのデータをプリンタに送信する工程とを有することを特徴とする印刷方法。
【請求項９】
占有要求をプリンタに送信し、印刷ジョブのデータをプリンタに送信する手段と、
前記印刷ジョブのデータを送信し終えた場合、占有解除要求をプリンタに送信する手段と、
前記占有解除要求をプリンタに送信後、ステータスを監視し、エラーの場合、印刷ジョブを未送信の状態に戻し、占有要求をプリンタに送信し、前記印刷ジョブのデータをプリンタに送信する手段とを有することを特徴とするホスト装置。
【請求項１０】
請求項８記載の印刷方法をコンピュータに実行させるためのプログラム。
【請求項１１】
占有要求を受信した場合、エラージョブがあるか否かを判別する第１判別工程と、
前記第１判別工程において、占有要求を受信した場合、エラージョブがあると判別された場合、占有要求のあったジョブとエラージョブとが一致しているか否かを判別する第２判別工程と、
前記第２判別工程において、占有要求のあったジョブとエラージョブとが一致していないと判別された場合は占有要求のあったジョブに占有させず、前記第２判別工程において、占有要求のあったジョブとエラージョブとが一致していると判別された場合は占有要求のあったジョブに占有させる工程とを有することを特徴とする印刷方法。
【請求項１２】
占有要求を受信した場合、エラージョブがあるか否かを判別する第１の判別手段と、
前記第１判別手段により占有要求を受信した場合、エラージョブがあると判別された場合、占有要求のあったジョブとエラージョブとが一致しているか否かを判別する第２の判別手段と、
前記第２判別手段により占有要求のあったジョブとエラージョブとが一致していないと判別された場合は占有要求のあったジョブに占有させず、前記第２判別手段により占有要求のあったジョブとエラージョブとが一致していると判別された場合は占有要求のあったジョブに占有させる手段とを有することを特徴とするプリンタ。
【請求項１３】
前記占有要求のあったジョブとエラージョブとが一致していない場合、占有解除状態に移行することを特徴とする請求項１２記載のプリンタ。
【請求項１４】
請求項１１記載の印刷方法をコンピュータに実行させるためのプログラム。
【請求項１５】
第１のジョブの占有要求に応じて該第１のジョブを占有状態にし、前記第１のジョブの占有解除要求に応じて該第１のジョブの占有状態を解除する手段と、
第２のジョブの占有中に、前記第１のジョブのエラーに応じて前記第２のジョブの占有状態を解除する手段とを有することを特徴とするプリンタ。
【請求項１６】
前記第２のジョブの占有状態を解除する手段は、第２のジョブの占有中に、前記第１のジョブのエラーに応じて前記第２のジョブの占有状態を解除し、前記第１のジョブの占有要求以外受付けないことを特徴とする請求項１５記載のプリンタ。
【請求項１７】
第１のジョブの占有要求に応じて該第１のジョブを占有状態にし、前記第１のジョブの占有解除要求に応じて該第１のジョブの占有状態を解除する工程と、
第２のジョブの占有中に、前記第１のジョブのエラーに応じて前記第２のジョブの占有状態を解除する工程とを有することを特徴とする印刷方法。
【請求項１８】
前記第２のジョブの占有状態を解除する工程は、第２のジョブの占有中に、前記第１のジョブのエラーに応じて前記第２のジョブの占有状態を解除し、前記第１のジョブの占有要求以外受付けないことを特徴とする請求項１７記載の印刷方法。
【請求項１９】
請求項１７又は請求項１８記載の印刷方法をコンピュータに実行させるためのプログラム。
【請求項２０】
印刷ジョブを開始する際に、プリンタを占有状態に移行するように指示し、印刷ジョブの印刷データを転送し終えると、前記プリンタからの印刷完了通知を待つことなく、占有解除状態に移行するように指示する指示手段と、
前記指示手段により占有解除状態に移行した後、ステータス監視処理を行い、エラーを検知した場合、プリンタを占有状態に移行するように指示する手段とを有することを特徴とする情報処理装置。
【請求項２１】
印刷ジョブを開始する際に、プリンタを占有状態に移行するように指示し、印刷ジョブの印刷データを転送し終えると、前記プリンタからの印刷完了通知を待つことなく、占有解除状態に移行するように指示する指示工程と、
前記指示工程により占有解除状態に移行した後、ステータス監視処理を行い、エラーを検知した場合、プリンタを占有状態に移行するように指示する工程とを有することを特徴とする印刷方法。
【請求項２２】
請求項２１記載の印刷方法をコンピュータに実行させるためのプログラム。
【手続補正２】
【補正対象書類名】明細書
【補正対象項目名】０００７
【補正方法】変更
【補正の内容】
【０００７】
本発明は、ホスト装置とプリンタとから構成され、前記ホスト装置にエラー回復のためのページメモリを有する印刷システムであって、前記ホスト装置は、印刷ジョブを開始する際に、プリンタを占有状態に移行するように指示し、当該印刷ジョブの印刷データを転送し終えると、前記プリンタからの印刷完了通知を待つことなく、占有解除状態に移行するように指示する指示手段を有し、前記プリンタは、前記ホスト装置からの指示に従ってプリンタを占有状態又は占有解除状態に移行させる手段を有し、前記移行させる手段は、第１のジョブの占有状態の解除後、第２のジョブが占有している際に、第１のジョブがエラーを起こした場合、第２のジョブの占有状態を解除し、第１のジョブに占有させることを特徴とする。
【手続補正３】
【補正対象書類名】明細書
【補正対象項目名】０００８
【補正方法】変更
【補正の内容】
【０００８】
また、本発明は、ホスト装置とプリンタとから構成され、前記ホスト装置にエラー回復のためのページメモリを有する印刷システムの制御方法であって、前記ホスト装置が、印刷ジョブを開始する際に、プリンタを占有状態に移行するように指示し、当該印刷ジョブの印刷データを転送し終えると、前記プリンタからの印刷完了通知を待つことなく、占有解除状態に移行するように指示する工程と、前記プリンタが、前記ホスト装置からの指示に従ってプリンタを占有状態又は占有解除状態に移行させる工程とを有し、前記移行させる工程において、第１のジョブの占有状態の解除後、第２のジョブが占有している際に、第１のジョブがエラーを起こした場合、第２のジョブの占有状態を解除し、第１のジョブに占有させることを特徴とする。